(57)【要約】【課題】気密性を向上させ，内容物が吸湿しにくくする。【解決手段】蓋付き容器は，容器本体30と，上記容器本体30の開口を開閉する開閉蓋10と，上記容器本体30と上記開閉蓋10との間に挟まれる中枠20とを備えている。上記中枠20は弾性を有する弾性樹脂によってつくられており，かつ上記容器本体30の開口上端部32にしっかりと嵌合する，下向きに開く溝部を備えている。容器本体30と開閉蓋10との間の高い気密性を確保することができる。【選択図】図２
2020033065.tif 000002
【特許請求の範囲】
【請求項１】
容器本体と，上記容器本体の開口を開閉する開閉蓋と，上記容器本体と上記開閉蓋との間に挟まれる気密保持枠と，を備え，
上記気密保持枠が弾性を有する弾性樹脂によってつくられており，かつ上記容器本体の開口上端部に嵌合されたときに上記開口上端部の上面および両側面に密着し，上記容器本体の開口上端部を三方から包囲する第１の溝部を備えている，
容器。
【請求項２】
上記開閉蓋の裏面に，上記開閉蓋が閉じられたときに上記気密保持枠の上面および両側面に密着し，上記気密保持枠を三方から包囲する第２の溝部が形成されている，
請求項１に記載の容器。
【請求項３】
上記気密保持枠の内面および外面のそれぞれに，内方および外方に突出する突出部が全周にわたって形成されている，
請求項１または２に記載の容器。
【請求項４】
上記気密保持枠が煮沸に耐える耐熱温度を有している，
請求項１から３のいずれか一項に記載の容器。
【請求項５】
上記気密保持枠の少なくとも両端部に，硬質樹脂によってつくられた，下向きに突出しかつ内方に傾斜する拡開部が一体に成形されている，
請求項１から４のいずれか一項に記載の容器。
【請求項６】
上記気密保持枠がエラストマーによって，上記拡開部がポリプロピレンによって，それぞれつくられている，請求項５に記載の容器。
【請求項７】
内容物が入れられた袋体と，上記内容物が上記袋体ごと収納される容器本体と，上記袋体が出し入れされる上記容器本体の開口を開閉する開閉蓋と，上記容器本体と上記開閉蓋との間に挟まれる気密保持枠と，を備え，
上記気密保持枠が弾性を有する弾性樹脂によってつくられており，かつ上記容器本体の開口上端部に嵌合されたときに上記開口上端部の上面および両側面に密着し，上記容器本体の開口上端部を三方から包囲する溝部を備えている，
容器セット。
【請求項８】
容器本体と，上記容器本体の開口を開閉する開閉蓋との間に挟まれる気密保持枠であって，
弾性を有する弾性樹脂によってつくられており，かつ上記容器本体の開口上端部に嵌合されたときに上記開口上端部の上面および両側面に密着し，上記容器本体の開口上端部を三方から包囲する溝部を備えている，
気密保持枠。
【発明の詳細な説明】
【技術分野】
【０００１】
この発明は，容器，特に湿気を嫌う粉状または粒状の内容物を収納するのに好適な容器に関する。この発明はまた，容器と，上記容器に袋ごと詰め替え可能に収納される内容物が入った袋体とを備える容器セットに関する。この発明はさらに，上記容器に高い気密性を持たせるための気密保持枠に関する。
【背景技術】
【０００２】
店頭において袋（紙袋，ビニール袋等）に入れられて販売される塩，砂糖，粉ミルク等の粉状または粒状の食品（調味料，乳製品等）は，家庭において別の容器に詰め替えられて小出しに用いられることが多い。このような容器は，一般に容器本体と開閉蓋とを備え，袋から出された食品が容器の容器本体内に入れられ，または食品が袋ごと容器本体内に入れられ，その後に開閉蓋によって容器本体の開口が閉じられる。
【０００３】
容器本体の開口を，開閉蓋を用いてしっかりと閉じることができれば，開閉蓋を閉じた後に容器本体内に侵入する湿気を少なくすることができる。しかしながら，容器本体と開閉蓋との間にわずかにでも隙間があると，そこから容器本体内に湿気が侵入し，内容物が吸湿してしまう。隙間から進入する湿気によって食品が吸湿すると，食品の劣化が早まってしまう。また，食品以外の粉状物または粒状物，たとえば洗剤であれば，吸湿することで塊ができてしまうこともある。
【０００４】
特許文献１は，缶本体および合成樹脂製蓋のそれぞれに螺条を形成したものを開示する。螺条を用いることによって容器本体に蓋をしっかりと取り付けることはできるものの，缶本体から蓋を取り外すまたは取り付けるたびに蓋を回転させなければならない。
【先行技術文献】
【特許文献】
【０００５】
【特許文献１】特開平１０−５３２６０号公報
【発明の開示】
【０００６】
この発明は，気密性を簡便に向上させ，これによって内容物が吸湿しにくくすることを目的とする。
【０００７】
この発明はまた，汎用的な煮沸殺菌ができるようにすることを目的とする。
【０００８】
この発明による容器は，容器本体と，上記容器本体の開口を開閉する開閉蓋と，上記容器本体と上記開閉蓋との間に挟まれる気密保持枠と，を備え，上記気密保持枠が弾性を有する弾性樹脂によってつくられており，かつ上記容器本体の開口上端部に嵌合されたときに上記開口上端部の上面および両側面に密着し，上記容器本体の開口上端部を三方から包囲する第１の溝部を備えていることを特徴とする。
【０００９】
この発明による容器セットは，内容物が入れられた袋体と，上記内容物が上記袋体ごと収納される容器本体と，上記袋体が出し入れされる上記容器本体の開口を開閉する開閉蓋と，上記容器本体と上記開閉蓋との間に挟まれる気密保持枠と，を備え，上記気密保持枠が弾性を有する弾性樹脂によってつくられており，かつ上記容器本体の開口上端部に嵌合されたときに上記開口上端部の上面および両側面に密着し，上記容器本体の開口上端部を三方から包囲する第１の溝部を備えていることを特徴とする。
【００１０】
この発明は，容器を構成する気密保持枠も提供する。この発明による気密保持枠は，容器本体と，上記容器本体の開口を開閉する開閉蓋との間に挟まれるものであって，弾性を有する弾性樹脂によってつくられており，かつ上記容器本体の開口上端部に嵌合されたときに上記開口上端部の上面および両側面に密着し，上記容器本体の開口上端部を三方から包囲する第１の溝部を備えていることを特徴とする。
【００１１】
この発明によると，容器本体と開閉蓋との間に挟まれる気密保持枠が弾性を有する弾性樹脂によってつくられているので，気密保持枠の第１の溝部に容器本体の開口上端部を嵌合させることで，気密性保持枠と容器本体の開口上端部とを密着させ，これらの間の気密性を高めることができる。さらに開閉蓋を閉じたときに開閉蓋の裏面も気密保持枠に密着させることによって，容器全体の気密性を高めることができ，容器内の内容物を吸湿しにくくすることができる。
【００１２】
好ましくは，上記開閉蓋の裏面に，上記開閉蓋が閉じられたときに上記気密保持枠の上面および両側面に密着し，上記気密保持枠を三方から包囲する第２の溝部が形成されている。開閉蓋を閉じたときに開閉蓋と気密保持枠との間にも高い気密性も確保することができる。
【００１３】
一実施態様では，上記気密保持枠の内面および外面のそれぞれに，内方および外方に突出する突出部が全周にわたって形成されている。開閉蓋を閉じたときに，容器本体と気密保持枠との間，および気密保持枠と開閉蓋との間をすき間なく閉じることができる。
【００１４】
好ましくは，上記気密保持枠が煮沸に耐える耐熱温度を有している。薬品消毒するまでもなく，気密保持枠に対して汎用的な煮沸殺菌をすることができる。
【００１５】
好ましくは，上記気密保持枠の少なくとも両端部に，硬質樹脂によってつくられた，下向きに突出しかつ内方に傾斜する拡開部が一体に成形されている。容器本体内に内容物が袋体ごと収納される場合に，気密保持枠に一体成形された拡開部によって袋体を内側から外側に向けて押し拡げる（拡開する）ことができる。簡易かつ容易に袋体の開封口を押し拡げて口を大きく開かせることができる。袋体の開封口を手または指で拡げる必要がないので，袋体に食品が入れられているときに袋体を清潔に保つこともできる。
【００１６】
一実施態様では，上記気密保持枠を形成する上記弾性樹脂にはエラストマーを用いることができる。気密保持枠に一体成形される拡開部にはポリプロピレンを用いることができる。異なる樹脂の一体成形にはたとえば二色成形を用いることができる。
【図面の簡単な説明】
【００１７】
【図１】第１実施例の蓋付き容器の斜視図である。
【図２】第１実施例の蓋付き容器の分解斜視図である。
【図３】図１のIII−III線に沿う拡大端面図である。
【図４】第２実施例の蓋付き容器を構成する中枠と，開封されたガセット袋とを示す斜視図である。
【図５】図４のＶ−Ｖ線に沿う中枠の断面図である。
【図６】第２実施例の蓋付き容器についての図３に相当する端面図である。
【実施例１】
【００１８】
図１はこの発明の第１実施例による蓋付き容器の斜視図である。図２は図１に示す蓋付き容器の分解斜視図を示している。図３は図１のIII−III線に沿う蓋付き容器の拡大端面図である。
【００１９】
蓋付き容器１は，開閉蓋10と，中枠（気密保持枠）20と，容器本体30とから構成される。
【００２０】
容器本体30は有底のもので，上面以外の面（側面および底面）が閉鎖された容器である。この実施例の容器本体30は平面から見てほぼ正方形で四隅に丸みが付けられた開口を持つ。容器本体30の形状，高さ等は任意に設計することができる。容器本体30は，たとえば比較的硬質のポリプロピレンによってつくられる。
【００２１】
容器本体30の開口上端部32からやや下方位置に，全周にわたってわずかに外方（側方）に突出するフランジ33が容器本体30と一体に形成されている。容器本体30の両側部に相当する箇所のフランジ33には切欠き部34が形成されており，切欠き部34が形成されている範囲においてはフランジ33の外方への突出が短くされている。容器本体30の切欠き部34には，後述するように開閉蓋10に形成される摘み面部14が入り込む。
【００２２】
中枠20は，ゴムのような弾性を持つ弾性樹脂，たとえばスチレン系エラストマーによってつくられており，容器本体30の開口上端部32にぴったり嵌まるように，平面から見て容器本体30の開口上端部32と同じ正方形を有しており，上面側が上方に突出し（凸条），下面側に溝が形成されたものである。この凸条または溝は，上面部21，外壁面部22および内壁面部23によって規定される。中枠20の横断面については図３を参照されたい。
【００２３】
図３を参照して，中枠20の下向きに開く溝部内に容器本体30の開口上端部32がきつく嵌め込まれる。中枠20の溝を規定する上面部21の内面および外壁面部22の内面に，内向きにわずかに突出するシール突起部24Ａ，24Ｂが全周にわたって形成されており，容器本体30の開口上端部32に中枠20を嵌合すると，容器本体30の開口上端部32と中枠20とは気密に結合される。なお，中枠20は上述のように弾性樹脂によってつくられているので，中枠20の溝内に容器本体30の開口上端部32がきつく入れられると，シール突起部24Ａ，24Ｂは変形するのは言うまでもない。図３では，分かりやすくするために，シール突起部24Ａ，24Ｂが変形していない態様で図示されている。
【００２４】
開閉蓋10は，比較的硬質の樹脂，たとえばポリプロピレンによってつくられる。
【００２５】
開閉蓋10は，正方形の上面部11と，上面部11の縁部の全周にわたって一体的に形成され，開閉蓋10の裏面がわに向けて突出する外側枠部12と，外側枠部12との間に隙間をあけて上面部11の裏面がわに向けて突出する一体形成された内側枠部（インナーリング）13を備えている。外側枠部12および内側枠部13とこれらの間の上面部11とによって，開閉蓋10の裏面には下向きに開く溝部が形成されている。開閉蓋10の裏面の溝部は，容器本体30の開口上端部32と同じ方形の形状を有している。
【００２６】
図３を参照して，開閉蓋10を閉じると，外側枠部12と，内側枠部13と，上面部11とによって規定される溝内に，中枠20がきつく入り込む。開閉蓋10の溝内に入り込む中枠20の上面部21の外面にも外向きにわずかに突出するシール突起部24Ｃが全周にわたって形成されており，開閉蓋10を閉じたときに開閉蓋10と中枠20も気密に結合される。
【００２７】
開閉蓋10の両側部の外側枠部12には，開閉蓋10を閉じたときに容器本体30の外側において下向きにのびる方形の摘み面部14が一体に形成されている。この摘み面部14の内面に，内方にわずかに突出する係合突起14Ａが一体に形成されている。上述したように，開閉蓋10を閉じたときに，開閉蓋10の両側部の摘み面部14は，容器本体30の切欠き部34に入り込む。また，このとき，容器本体30の切欠き部34が形成されている範囲においてわずかに外方に突出するフランジ33に，摘み面部14の内面に形成された係合突起14Ａが軽くスナップロック（係合）される。摘み面部14の外縁に手をかけ，摘み面部14を外向きにわずかに変形させることで，スナップロックは解除することができる。
【００２８】
蓋付き容器１を構成する開閉蓋10，中枠20および容器本体30は，いずれも煮沸に耐える耐熱温度，すなわち１００℃以上の耐熱温度を持つ樹脂によってつくられる。すなわち，開閉蓋10，中枠20および容器本体30は，いずれも熱湯消毒することができ，薬品を使うことなく，容易に殺菌ないし滅菌することができる。
【００２９】
上述した蓋付き容器１を30分間熱湯に入れたところ，開閉蓋10，中枠20および容器本体30のいずれにも熱膨張，熱収縮，変形等は確認されず，再度問題なく使用することができることが確認された。
【００３０】
また，上述したように中枠20は弾性樹脂によってつくられているので，中枠20と容器本体30との間，および中枠20と開閉蓋10の間をすき間なく閉じることができる。
【００３１】
蓋付き容器１の容器本体30内に塩化カルシウムを入れ，温度４５℃，湿度９０％の環境に１日保管し，塩化カルシウムの質量増加を測定したところ，0.11ｇ程度の増加にとどまった（吸湿された水分の重さである）。蓋付き容器１において高い気密性が確保されていることも確認された。
【実施例２】
【００３２】
図４は第２実施例の蓋付き容器を構成する中枠20Ａと，上端部が開封され，開封口51が形成された袋体50を示している。図５は図４のＶ−Ｖ線に沿う中枠20Ａの断面図である。図６は，上述した中枠20に代えて図４および図５に示す中枠20Ａが用いられた蓋付き容器の図３に相当する拡大端面図である。
【００３３】
第２実施例の蓋付き容器（容器）を構成する中枠20Ａは，上述した第１実施例の蓋付き容器１を構成する中枠20に，さらに一対のガイド部材27を一体に取り付けたものである。
【００３４】
図４および図５を参照して，ガイド部材27は，弧状の外縁を備え，わずかに内向きに傾けられたガイド面部27Ａと，ガイド面部27Ａの末端部において角度を代えて外向きにほぼ水平に延びる接着面部27Ｂを備えている。ガイド部材27の接着面部27Ｂが中枠20Ａの内壁面部23に接着（一体成形）される。ガイド部材27の接着面部27Ｂを中枠20Ａの内壁面部23に一体成形しやすくするために，中枠20Ａの内壁面部23の先端部分には内向きにわずかにのびる延長部23Ａが一体に形成されており，この延長部23Ａにガイド部材27の接着面部27Ｂが接着（一体成形）される。
【００３５】
中枠20Ａのうち，上面部21，外壁面部22，内壁面部23および延長部23Ａは，第１実施例の中枠20と同様に，ゴムのような弾性を持つ弾性樹脂，たとえばスチレン系エラストマーによってつくられる。他方，延長部23Ａに一体成形されるガイド部材27は，比較的硬質の樹脂，たとえばポリプロピレンによってつくられる。中枠20Ａとガイド部材27とは二色成形によって一体に成形することができる。
【００３６】
中枠20Ａは，容器本体30内に内容物を直接に収納するのではなく，内容物が入れられた袋体を，袋体ごと容器本体30内に収納する場合に好適に用いられる。図４を参照して，内容物（図示略）が入った袋体50を容器本体30（図４において図示略）内に収納し，次に中枠20Ａを容器本体30に取り付ける。このとき，わずかに内向きに傾けられた中枠20Ａのガイド部材27のガイド面部27Ａが開封口51から袋体50内に入り込み，袋体50の開封口51の内周縁に沿う。図６を参照して袋体50の上端部はガイド面部27Ａと容器本体30の内面との間に挟まれる。袋体50がその両側部に折込み部を備えるガセット袋であれば，ガイド面部27Ａによって袋体50の開封口51は外側に押し広げられる（拡開される）。容器本体30に入れられた袋体50の開封口51を広げた状態に保つことができる。
【００３７】
第２実施例においても，蓋付き容器を構成する開閉蓋10，ガイド部材27を含む中枠20Ａおよび容器本体30は，いずれも煮沸に耐える耐熱温度，すなわち１００℃以上の耐熱温度を持つ樹脂によってつくられる。すなわち，開閉蓋10，中枠20Ａおよび容器本体30は，いずれも熱湯消毒することができ，薬品を使うことなく，容易に殺菌ないし滅菌することができる。
【００３８】
また，中枠20Ａについても，上面部21，外壁面部22，内壁面部23が弾性樹脂によってつくられているので，中枠20Ａと容器本体30との間，および中枠20Ａと開閉蓋10の間を，すき間なく閉じることができる。
【符号の説明】
【００３９】
１  蓋付き容器（容器）
10  開閉蓋
11  上面部
12  外側枠部
13  内側枠部
20，20Ａ  中枠（気密保持枠）
21  上面部
22  外壁面部
23  内壁面部
24Ａ，24Ｂ，24Ｃ  シール突起部
27  ガイド部材
27Ａ  ガイド面部
30  容器本体
32  開口上端部
50  袋体
51  開封口
【図１】
2020033065.tif 000003
【図２】
2020033065.tif 000004
【図３】
2020033065.tif 000005
【図４】
2020033065.tif 000006
【図５】
2020033065.tif 000007
【図６】
2020033065.tif 000008